(57)【要約】【課題】回路基板上の部品の配置の自由度および当該携帯端末装置の生産性を低下させることなく、１つの筐体内に折り畳まれて収納されるフレキシブルケーブルによるアンテナ特性の劣化を抑止する。【解決手段】フレキシブルケーブル６の接続先である基板４または筐体２から独立のまたは着脱可能な部品として配備される１つ以上の構造物２１を有し、該構造物２１を用いてフレキシブルケーブル６の収納位置および形状を筐体２内で固定する。構造物２１は、加工により形状を変化させることができる部材により構成されていることが好ましい。【選択図】図１
2011087027.tif 000002
【特許請求の範囲】
【請求項１】
少なくとも１つの筐体内において折り畳まれた形状で収容されるフレキシブルケーブルを有する携帯端末装置であって、
前記フレキシブルケーブルの接続先である基板または筐体から独立のまたは着脱可能な部品として配備される１つ以上の構造物を有し、
前記構造物を用いてフレキシブルケーブルの収納位置および形状が前記筐体内で固定されている
ことを特徴とする携帯端末装置。
【請求項２】
構造物は、加工により形状を変化させることができる部材により構成されている
請求項１に記載の携帯端末装置。
【請求項３】
構造物により、フレキシブルケーブルの少なくとも１つの折り返し部が、接続先の一つである基板または筐体に寄せられて固定されている
請求項１または請求項２に記載の携帯端末装置。
【請求項４】
構造物により、フレキシブルケーブルの全ての折り返し部が、接続先の一つである基板または筐体に寄せられて固定されている
請求項１または請求項２に記載の携帯端末装置。
【請求項５】
１つの筐体内において、２つの折り返し部を有するように折り畳まれて収容されるフレキシブルケーブルを有する携帯端末装置であって、
構造物により、フレキシブルケーブルの一方の折り返し部が、接続先の一つである基板または筐体に寄せられ、かつ他方の折り返し部がもう一方の接続先である基板または筐体に寄せられて固定されている
請求項１または請求項２に記載の携帯端末装置。
【請求項６】
複数の構造物を用いて、フレキシブルケーブルの配置位置および形状が固定されている
請求項１から請求項５のうちのいずれか１項に記載の携帯端末装置。
【請求項７】
少なくとも１つの筐体内において折り畳まれた形状で収容されるフレキシブルケーブルを有する携帯端末装置の製造方法であって、
量産される携帯端末装置の少なくとも一つの携帯端末装置の製造工程において、
フレキシブルケーブルを前記筐体内に収容する際に、前記フレキシブルケーブルの接続先である基板または筐体から独立のまたは着脱可能な部品として配備される１つ以上の構造物の配置位置または形状を変更させて、アンテナ特性の劣化具合を計測する調整ステップと、
前記調整ステップによる計測結果に基づき、前記構造体の配置位置および形状を決定する決定ステップとを含む
ことを特徴とする携帯端末装置の製造方法。
【請求項８】
量産される全ての携帯端末装置の製造工程において、
前記決定ステップによって決定された形状に加工した前記構造体を、前記決定ステップによって決定された配置位置に挿入することによって、前記フレキシブルケーブルの前記筐体内における位置および形状を固定させる固定ステップを含む
請求項７に記載の携帯端末装置の製造方法。
【発明の詳細な説明】
【技術分野】
【０００１】
本発明は、二つ以上の筐体が組み合わされてなる携帯端末装置であって、特に、筐体内回路基板を電気的に接続するフレキシブルケーブルがある筐体内で折り畳まれて収納される携帯端末装置に関する。
【背景技術】
【０００２】
携帯端末装置の筐体内でフレキシブルケーブルが折り畳まれて収納される一般的な例を図１２に示す。図１２は、スライド式携帯端末装置におけるフレキシブルケーブルの配置例を示す説明図である。なお、図１２（ａ）は、スライド前の状態のフレキシブルケーブルの配置例を示す右側面透視図であって、図１２（ｂ）は、スライド後の状態のフレキシブルケーブルの配置例を示す右側面透視図である。
【０００３】
図１２に示す例では、スライド式携帯端末装置を構成する２つの筐体として、回路基板３が収納されている筐体１と、回路基板４が収納されている筐体２が設けられている。回路基板３にはコネクタ７を介してフレキシブルケーブル５が接続されている。また、回路基板４にはコネクタ９を介してフレキシブルケーブル６が接続されている。また、フレキシブルケーブル５とフレキシブルケーブル６とは、筐体間において１つ以上のコネクタ（本例では、コネクタ８）を介して電気的に接続されている。すなわち、筐体１に収容される回路基板３と筐体２内に収容される回路基板４とが、フレキシブルケーブル５および６により電気的に接続されている。また、１０は、無線通信を行うためのアンテナである。
【０００４】
また、図１３は、図１２に示したスライド式携帯端末装置のスライド後の状態におけるフレキシブルケーブルの配置例を示す説明図である。なお、図１３（ａ）は、図１２に示したスライド式携帯端末装置のスライド後の状態におけるフレキシブルケーブルの配置例を示す上面図である。また、図１３（ｂ）は、同状態（スライド後の状態）におけるフレキシブルケーブルおよびコネクタのみを斜視図で示している。なお、図１３では、フレキシブルケーブルの配置をわかりやすく示すために、図１２とは異なる網掛け表示にてフレキシブルケーブル５，６を示している。
【０００５】
図１２および図１３に示すように、フレキシブルケーブル５は、筐体１内に収容されている回路基板３と、他方の筐体２に設けられたコネクタ８を介してフレキシブルケーブル６の端点とを繋ぐためのフレキシブルケーブルであってスライド式に対応したものである。従って、スライド時に形状が変化する。一方、フレキシブルケーブル６は、筐体２に設けられたコネクタ８を介してフレキシブルケーブル５の端点と、当該筐体２に収容されている回路基板４とを繋ぐためのフレキシブルケーブルである。すなわち、フレキシブルケーブル６は、筐体２内部の接続用であるためスライドさせても形状は変化しない。
【０００６】
携帯端末装置におけるフレキシブルケーブルの収納方法に関連する技術として、例えば、特許文献１には、筐体開閉時のアンテナ特性を改善するために、開閉によってフレキシブルケーブルが変化する箇所において誘電体を該フレキシブルケーブルの間に挟む構造が記載されている。
【先行技術文献】
【特許文献】
【０００７】
【特許文献１】特開２００７−２０１５４３号公報
【発明の概要】
【発明が解決しようとする課題】
【０００８】
図１２および図１３に示したスライド式携帯端末装置におけるフレキシブルケーブル６のように、１つの筐体内において電気的接続を行うフレキシブルケーブルであっても、回路基板上の部品の配置や対向する筐体との接続形態によっては、当該筐体内において折り畳まれて収納される場合がある。これは、スライド式携帯端末装置のように、当該筐体内の回路基板が、対向する筐体がある側の面にコネクタを配置してフレキシブルケーブルを接続する場合によく見かける構成である。その理由は、製造工程中のフレキシブルケーブルをコネクタに接続する工程（以下、フレキシブルケーブル接続工程という。）においてフレキシブルケーブルを引き出して接続する必要があるために、フレキシブルケーブルにその分の長さ（引き出して接続することができるだけの長さ）を取らなければならないからである。すなわち、引き出す分の長さを取った結果として、接続後に収納する際に折り畳む必要が生じる場合が多いからである。
【０００９】
図１４は、フレキシブルケーブル接続工程時においてフレキシブルケーブルが引き出される様子を示す説明図である。図１４では、フレキシブルケーブル６の一方を筐体２内に設けられたコネクタ８と接続するとともに、他方を当該筐体２に後に収容する回路基板４上に設けられたコネクタ９と接続する場合の例を示している。コネクタとの接続工程が完了し、回路基板を筐体内に収容する際に、当該フレキシブルケーブルは図１２に示したように折り畳んで収納されることになる。
【００１０】
しかし、筐体内に折り畳んで収納するフレキシブルケーブルの位置や形状によっては、無線通信用またはその他近距離通信用等のアンテナ特性に悪影響を与えることが実験によりわかっている。例えば、実験では、スライド式の携帯端末装置のように利用形態によっては２つの基板間に挟まれることになる位置関係でフレキシブルケーブルを収納する装置において、該フレキシブルケーブルに折り返し部がなければアンテナ特性への影響が大幅に低下する結果が得られている。さらに、実験では、フレキシブルケーブルの位置や形状により、アンテナ特性への影響が変わることもわかっており、フレキシブルケーブルと基板または基板上の部品との距離関係や、フレキシブルケーブルの形状（例えば、折り返し部の曲率）がアンテナ特性に与える影響に関係しているものと推測される。なお、装置単体として筐体と筐体内の基板とを接続するフレキシブルケーブルが２つの基板間に挟まれるような利用形態を有しない場合であっても、筐体外において折り畳んで収納されるフレキシブルケーブルとの接続口に電磁界的な作用を有する基板等が組み込まれたような装置と接続されうる利用形態を想定すれば、同様の問題が生じるものと考えられる。
【００１１】
このようなフレキシブルケーブルによるアンテナ特性の劣化を抑制するためには、最も適切な位置および形状においてフレキシブルケーブルを固定させることが好ましい。なお、完全に一定の形状および位置に固定しなくてもある程度の幅を持たせた状態で固定されていればよいとの考えもある。しかし、いずれの場合であってもフレキシブルケーブルをどの位置およびどのような形状（以下、まとめて収納形態という。）にすれば最もアンテナ特性の劣化を抑制することができるかが設計段階ではわからないという問題があった。このため、例えば、筐体に組み込まれた構造物等によりフレキシブルケーブルを固定する方法などでは、実際のアンテナ特性を計測して行われる改造等によって期間やコストがかかり生産性が低下するという問題がある。なお、接続工程において必要とする分の長さを取ったフレキシブルケーブルを折り畳まずに収納しようとすると、回路基板上の部品の配置の自由度が低下してしまうという別の問題が発生する。
【００１２】
なお、特許文献１に記載されている技術は、開閉によって形状が変化するフレキシブルケーブルの収納に関する技術であって、本発明が目的とする筐体内で常に折り畳まれた状態で収納されるフレキシブルケーブルとは対象が異なる。このため、特許文献１では、実際のアンテナ特性を計測した上でフレキシブルケーブルの収納形態を固定したいといった要望については何ら考慮されていない。
【００１３】
そこで、本発明は、筐体内にフレキシブルケーブルを折り畳んで収納する携帯端末装置において、当該携帯端末装置の生産性を低下させることなく、該折り畳まれたフレキシブルケーブルによるアンテナ特性の劣化を抑止することを目的とする。
【課題を解決するための手段】
【００１４】
本発明による携帯端末装置は、少なくとも１つの筐体内において折り畳まれた形状で収容されるフレキシブルケーブルを有する携帯端末装置であって、フレキシブルケーブルの接続先である基板または筐体から独立のまたは着脱可能な部品として配備される１つ以上の構造物を有し、構造物を用いてフレキシブルケーブルの収納位置および形状が筐体内で固定されていることを特徴とする。
【００１５】
本発明による携帯端末装置の製造方法は、少なくとも１つの筐体内において折り畳まれた形状で収容されるフレキシブルケーブルを有する携帯端末装置の製造方法であって、フレキシブルケーブルを筐体内に収容する際に、フレキシブルケーブルの接続先である基板または筐体から独立のまたは着脱可能な部品として配備される１つ以上の構造物の配置位置または形状を変更させて、アンテナ特性の劣化具合を計測する調整ステップと、調整ステップによる計測結果に基づき、構造体の配置位置および形状を決定する決定ステップと、決定ステップによって決定された形状に加工した構造体を、決定ステップによって決定された配置位置に挿入することによって、フレキシブルケーブルの筐体内における位置および形状を固定させる固定ステップとを含むことを特徴とする。
【発明の効果】
【００１６】
本発明によれば、筐体内にフレキシブルケーブルを折り畳んで収納する携帯端末装置において、回路基板上の部品の配置の自由度および当該携帯端末装置の生産性を低下させることなく、該折り畳まれたフレキシブルケーブルによるアンテナ特性の劣化を抑止することができる。
【図面の簡単な説明】
【００１７】
【図１】本発明の携帯端末装置の例を示す説明図である。
【図２】構造物２１とフレキシブルケーブル６との位置関係を要部拡大図で示している。
【図３】構造物２１の形状例を示す説明図である。
【図４】構造物２１によるフレキシブルケーブルの収納形態の固定例を示す説明図である。
【図５】構造物２１によるフレキシブルケーブルの収納形態の固定例を示す説明図である。
【図６】構造物２１によるフレキシブルケーブルの収納形態の固定例を示す説明図である。
【図７】第１の実施例のフレキシブルケーブル６の展開図である。
【図８】第１の実施例のフレキシブルケーブル６を折り畳んだ状態の形態例を示す説明図である。
【図９】第１の実施例において構造物２１によるフレキシブルケーブルの収納形態の固定例を示す説明図である。
【図１０】構造物２１とアンテナ１０との位置関係を示す説明図である。
【図１１】第１の実施例の構造物２１挿入によるフレキシブルケーブルの収納形態における放射効率比（実測値）を示すグラフである。
【図１２】スライド式携帯端末装置のスライド前の状態におけるフレキシブルケーブルの配置例を示す説明図である。
【図１３】スライド式携帯端末装置のスライド後の状態におけるフレキシブルケーブルの配置例を示す説明図である。
【図１４】フレキシブルケーブル接続工程時においてフレキシブルケーブルが引き出される様子を示す説明図である。
【発明を実施するための形態】
【００１８】
以下、本発明を実施するための形態について図面を参照して説明する。図１は、本発明の携帯端末装置の例を示す説明図である。なお、図１では、スライド式携帯端末装置に本発明を適用した場合の例を示している。図１（ａ）は、スライド前の状態における本携帯端末装置の構成例を示す右側面透視図である。また、図１（ｂ）は、スライド後の状態における本携帯端末装置の構成例を示す右側面透視図である。
【００１９】
なお、図１では、スライド式携帯端末装置を例に示しているが、本発明の携帯端末装置は１つの筐体内にフレキシブルケーブルを折り畳んで収納する構成であればスライド式に限らない。
【００２０】
図１に示す例では、スライド式携帯端末装置を構成する２つの筐体として、筐体１と筐体２とを備える。また、筐体１には回路基板３が収容されている。また、筐体２には回路基板４が収容されている。また、筐体２には、無線通信を行うためのアンテナ（本例では、逆Ｌ型モノポールアンテナ）が収容されている。
【００２１】
回路基板３にはコネクタ等の接続部７を介してフレキシブルケーブル５が接続されている。また、回路基板４には接続部９を介してフレキシブルケーブル６が接続されている。また、フレキシブルケーブル５とフレキシブルケーブル６とは、筐体間において１つ以上の接続部（本例では、接続部８）を介して電気的に接続されている。すなわち、筐体１に収容される回路基板３と、筐体２内に収容される回路基板４とが、フレキシブルケーブル５および６により電気的に接続されている。
【００２２】
ここで、フレキシブルケーブル５は、筐体１内に収容されている回路基板３と、他方の筐体２に設けられたコネクタ８を介してフレキシブルケーブル６の端点とを繋ぐためのフレキシブルケーブルであってスライド式に対応したものである。従って、スライド時に形状が変化する。一方、フレキシブルケーブル６は、筐体２に設けられたコネクタ８を介してフレキシブルケーブル５の端点と、当該筐体２に収容されている回路基板４とを繋ぐためのフレキシブルケーブルである。フレキシブルケーブル６は、筐体２内部の接続用であるためスライドさせても形状は変化しないが、対向する筐体１との接続形態および接続工程上の理由から、筐体２内において折り畳まれて収納されるフレキシブルケーブルである。
【００２３】
なお、フレキシブルケーブル５と６を１つのフレキシブルケーブルとして実現することも可能である。そのような場合には、接続部９を筐体に設けられた穴等に通した該フレキシブルケーブルを固定するための固定部として実装すればよい。そのような場合であっても、本発明では１つの筐体内に固定的に（組立後に形態が変化するような構造ではなく）収容される部位をフレキシブルケーブル６という。
【００２４】
このようなフレキシブルケーブルの折り畳み構造は、基板の部品配置の自由度を上げるためや、スライド対応させるために基板の裏側（筐体１側）に接続部１０を設ける
【００２５】
また、本実施形態の携帯端末装置は、さらに構造物２１（より具体的には、構造物２１−１，２１−２）を備えている。
【００２６】
図２は、本例における構造物２１とフレキシブルケーブル６との位置関係を要部拡大図で示している。また、図３は、本例における構造物２１の形状例を示す説明図である。なお、図３（ａ）は構造物２１−１の側面図、図３（ｂ）は構造物２１−１の平面図、図３（ｃ）は構造物２１−２の側面図、図３（ｄ）は構造物２１−１の平面図である。
【００２７】
図２および図３に示すように、構造物２１は、１つの筐体内において折り畳んで収納されるフレキシブルケーブルの固定用に、筐体または基板から独立したまたは着脱可能な部品として配備されるものである。構造体２１は、自然に形状が変化しない部材であればよい。このように、予め筐体自体の形状（突起等）や半田付け等される基板の部品の一部として配備されるのではなく、それらとは独立したまたはそれらから着脱可能な部品として設けることで、少なくとも製造工程においてその配置位置を容易に変更可能にしている。
【００２８】
また、構造体２１は、容易な加工により形状を変化させることができる部材を成形した部品であることがより好ましい。例えば、人が工具や工作機械等を用いてその場で自由に（設計図や下処理なしに）形状を変更できる程度の加工容易性があることが望ましい。例えば、弾力性のあるクッション材（発泡材、緩衝材ともいう。）であってもよい。なお、弾力性は、構造物の幅としてある範囲をカバーしたい場合に材料に正確な厚さを必要としないことから、有していたほうが利便性が増すという点で好ましいが、有していなくてもよい。例えば、弾力性のない樹脂や紙、金属、木等を材料とすることも可能である。弾力性のある材料としては、例えば、布、ゴム、スポンジ等があげられる。
【００２９】
このような構造物２１を用いて、１つの筐体内において折り畳んで収納されるフレキシブルケーブルの位置および形状を調整してアンテナ特性の劣化が最も抑制されるような収納形態を決定し、最終的にそのフレキシブルケーブルを決定した収納形態で収納されるように固定する。なお、本発明において「固定」とは、フレキシブルケーブルを所定の範囲内に納まるように形状および位置を固定することを意味する。固定方法としては、例えば、両面テープを用いたり、または爪等を設けて筐体や基板との間で勘合させてもよい。
【００３０】
なお、調整に用いた構造物２１と、最終的に固定するために用いる構造物２１とが同じ物である必要はない。例えば、試作の段階で複数パターンの構造物２１を用意し、それらの構造物２１の形状を加工したり挿入位置を変更したりしてフレキシブルケーブルの位置および形状の調整を行って最適な収納形態を決定した後で、別途その収納形態に適合する形状に加工した構造物２１を量産し製品に適用するなどの利用形態も考えられる。なお、製品実装における細かい調整が終了した段階（例えば、量産の段階）では、他の構造物や部品と共用にすることでコストを削減することも可能であるが、その後の設計変更等による影響を考慮して、独立したまたは着脱可能な部品のまま適用させることがより好ましい。また、固定方法についても、同じ理由から構造物２１側にそのための機構を設けることがより好ましい。なお、各製品個体でアンテナ特性の劣化具合が微妙に異なる場合には、製品一つ一つに対して調整を行うことも可能である。
【００３１】
以下、構造物２１によるフレキシブルケーブルの収納形態の固定例を提示する。図２、図４〜図６は、構造物２１によるフレキシブルケーブルの収納形態の固定例を示す説明図である。
【００３２】
図２に示す例は、回路基板４とフレキシブルケーブル６との間に構造物２１を挿入する例である。図２に示す例では、図３に示した２つの構造物（構造物２１−１と構造物２１−２を用いてフレキシブルケーブル６の収納形態を該フレキシブルケーブルの折り返し部を筐体１側（すなわち、回路基板４から遠ざかる側）の筐体２の面に寄せた（近づけた）形態に固定している。
【００３３】
また、図４に示す例は、筐体２とフレキシブルケーブル６との間に構造体２１を挿入する例である。図４に示す例では、２つのブロック形状の構造物２１−１と構造物２１−２を用いてフレキシブルケーブル６の収納形態を該フレキシブルケーブルの折り返し部を回路基板４側に寄せた形態に固定している。
【００３４】
また、図５に示す例は、フレキシブルケーブル６のある部位と部位の間に構造物２１を挿入する例である。図５に示す例では、２つのブロック形状の造物２１−１と構造物２１−２を用いて、２つの折り返し部を有するように折り畳まれるよう設計されているフレキシブルケーブル６の収納形態を、一方の折り返し部を可能な限り回路基板４側に寄せ、他方の折り返し部を可能な限り筐体１側の筐体２の面に寄せた形態に固定している。なお、図２および図４では、折り返し部以外の部位についてフレキシブルケーブル６を滑らかな角度で折り曲げて収納する例を示しているが、図５に示すように、略直角に折り曲げて収納する形態も考えられる。
【００３５】
また、図６に示す例は、１つの構造体２１を用いてフレキシブルケーブル６の収納形態を固定する例である。図６に示す例では、１つの構造体２１−１を用いてフレキシブルケーブルの１つの折り返し部を筐体１側の筐体２の面に寄せた形態に固定している。
【００３６】
なお、どのような収納形態とするかは、実際に構造体２１の配置位置や形状を変化させつつアンテナ特性を計測して、その計測値に基づいて決定すればよい。
【００３７】
例えば、当該携帯端末装置の製造方法として、次のステップを含むようにすればよい。すなわち、フレキシブルケーブル６を筐体２内に収容する際に、フレキシブルケーブル６の収納形態を固定させる１つ以上の構造物２１の配置位置または形状を変更させて、アンテナ特性の劣化具合を計測する（調整ステップ）。そして、その計測結果に基づき、筐体２内における構造体２１の配置位置および形状を決定する（決定ステップ）。最終的に、決定された形状に加工した構造体２１を決定された配置位置に挿入することによって、フレキシブルケーブル６の筐体２内における位置および形状を固定させる（固定ステップ）。
【００３８】
なお、既に説明したように、調整ステップと決定ステップとは、量産される携帯端末装置の少なくとも一つの携帯端末装置の製造工程に含まれていればよく、量産される全ての携帯端末装置の製造工程において必ずしも含まれていなくてもよい。量産される全ての携帯端末装置の製造工程においては、決定ステップの結果を踏まえた固定ステップが含まれていればよい。
【００３９】
以上のように、本実施形態によれば、携帯端末装置等においてアンテナ特性に影響を与えるフレキシブルケーブルの収納形態を最適な形態で固定することができるので、アンテナ特性の劣化を抑制することができる。
【００４０】
また、本実施形態によれば、携帯端末装置等においてアンテナ特性に影響を与えるフレキシブルケーブルの収納形態を、追加が容易で、配置位置および形状の変更が容易な構造物を用いて調整（変更）、固定することにより、アンテナ特性効果の調整が容易である。従って、当該携帯端末装置の生産性を低下させることなく、該折り畳まれたフレキシブルケーブルによるアンテナ特性の劣化を抑止することができる。
【実施例】
【００４１】
以下に、より具体的な実施例を図面を参照して説明する。図７は、第１の実施例のフレキシブルケーブル６の展開図である。なお、図７に示したフレキシブルケーブル６は、あるスライド式携帯電話機に適用した際の実施例である。なお、寸法［ｍｍ］は概ねの数値である。図７に示したフレキシブルケーブル６において、６１は筐体２に設けられる接続部８と接続される部位であるインタフェース部６１を示してる。また、６２は筐体２内に収容される回路基板４に設けられる接続部９と接続される部位であるインタフェース部６２を示している。図７では、インタフェース部６１の先に点線によりフレキシブルケーブル５を図示しているが、インタフェース部６１が接続部８を介して間接的にフレキシブルケーブル５と接続されることを示しているのであって、直接繋がっていることを示しているわけではない。また、インタフェース部６１，６２以外の網掛けの部位６３，６４，６５は、折り返し部分（折り返し部６３，６４，６５）を示している。
【００４２】
図８は、図７に示したフレキシブルケーブル６を折り畳んだ状態の形態例を示している。なお、図示では厚さ方向の縮尺は無視している。実際のフレキシブルケーブルの厚さは約０．１ｍｍであり、フレキシブルケーブル間の隙間は約０．２ｍｍである。なお、図８に示した状態は構造物２１を挿入する前のフレキシブルケーブルの状態の例である。すなわち、本例のフレキシブルケーブル６がなす自然発生的な状態を示している。
【００４３】
これに対し、図９は、構造物２１によるフレキシブルケーブルの収納形態の固定例を示す説明図である。本例では、弾力性のあるクッション材による１つのブロック形状の構造物２１を用意し、インタフェース部６１，６２から離れた位置で折り畳まれる等により位置や形状が不安定となる折り返し部６３−折り返し部６４間の領域を回路基板４側に寄せた形態で固定されるよう調整した。最終的には、５ｍｍ×２８ｍｍ×ｔ０．６ｍｍの構造物２１を、筐体１側の筐体２の面とフレキシブルケーブル６の該領域との間に挿入した。
【００４４】
また、図１０は、構造物２１とアンテナ１０との位置関係を示す説明図である。なお、寸法［ｍｍ］は概ねの数値である。
【００４５】
次に、本実施例における効果を説明する。図１１は、図９に示した構造物２１挿入によるフレキシブルケーブルの収納形態における放射効率比（実測値）を示したグラフである。図１１において、横軸は送信周波数［ＭＨｚ］を示している。また、縦軸は、構造物２１未挿入時に対する挿入時の放射効率比［ｄＢ］を示している。このように、実際に測定した結果、構造物２１を挿入することによって送信周波数によって増加率にばらつきはあるものの、概ね放射効率が増加していることがわかる。
【００４６】
なお、図９に示す例はあくまで一例であって、同じ折り畳み構造をもつフレキシブルケーブル６であっても、回路基板４やアンテナ１０との位置関係や、回路基板４上に配置される部品の位置関係、また要求されるスペックやどの周波数帯の放射効率を重視するか等、種々の条件により最適とするフレキシブルケーブルの収納形態は異なる。
【産業上の利用可能性】
【００４７】
本発明は、携帯端末装置だけでなく、通信用のアンテナを備える装置であって該装置を構成する１つの筐体内においてフレキシブルケーブルを折り畳んで収納する装置であれば好適に適用可能である。
【符号の説明】
【００４８】
１，２  筐体
３，４  回路基板
５，６  フレキシブルケーブル
７，８，９  接続部
１０  アンテナ
２１  構造物
【図１】
2011087027.tif 000003
【図２】
2011087027.tif 000004
【図３】
2011087027.tif 000005
【図４】
2011087027.tif 000006
【図５】
2011087027.tif 000007
【図６】
2011087027.tif 000008
【図７】
2011087027.tif 000009
【図８】
2011087027.tif 000010
【図９】
2011087027.tif 000011
【図１０】
2011087027.tif 000012
【図１１】
2011087027.tif 000013
【図１２】
2011087027.tif 000014
【図１３】
2011087027.tif 000015
【図１４】
2011087027.tif 000016